(57)【要約】【課題】  ２本一膳として使用する塗り箸を親指、人指指、中指、薬指を使って扱う際に、箸本体の位置決めがし易く、しかも箸本体の重量バランスも適当で正しい持ち方を直ぐに習得可能な使い勝手の良い常用塗り箸を提供する。【解決手段】  塗り箸の上部領域に面頬部Ｈを冠帽せしめ、この面頬部Ｈの頂部は箸本体Ａの箸頭１となると共に当該面頬部Ｈの周面は太径部３、この太径部３の下部周縁には分厚い節部４を設けて当該箸本体Ａに固定する。【選択図】  図１
0003181048.tif 000002
【実用新案登録請求の範囲】
【請求項１】
棒状の箸本体Ａの上部領域には面頬部Ｈが冠帽されており、この面頬部Ｈの頂部は箸本体Ａの箸頭１を成すとともに、面頬部Ｈの周面は太径部３、この太径部３の下部周縁は分厚い節部４を形成したことを特徴とする正しい持ち方を習得できる常用塗り箸の構造。
【請求項２】
箸本体Ａの上部領域に被嵌された面頬部Ｈが、当該箸本体Ａの箸生地Ｗに接合一体化されていることを特徴とする請求項１記載の正しい持ち方を習得できる常用塗り箸の構造。
【請求項３】
棒状に成形された箸生地Ｗの上部領域に塗料を分厚く被覆塗装せしめて箸頭１、および太径部３を形成し、この太径部３の下部周縁に更に塗り重ねて層厚の節部４を膨出させて面頬部Ｈを形成したことを特徴とする請求項２記載の正しい持ち方を習得できる常用塗り箸の構造。
【請求項４】
棒状に成形された箸生地Ｗの上部領域の面頬部Ｈが、インサート成形によって箸頭１、太径部３、および節部4を成形したことを特徴とする請求項２記載の正しい持ち方を習得できる常用塗り箸の構造。
【請求項５】
箸本体Ａの上部領域に被嵌する面頬部Ｈが着脱可能なキャップ形態に成形されており、このキャップ形態の面頬部Ｈを当該箸本体Ａの頂部に被せることによって、当該箸本体Ａにおける持ち代２の上部領域に、箸頭１、太径部３、および節部４を作出することを特徴とする請求項１記載の正しい持ち方を習得できる常用塗り箸の構造。
【請求項６】
キャップ形態の面頬部Ｈが、硬質の合成樹脂で構成されていることを特徴とする請求項５記載の正しい持ち方を習得できる常用塗り箸の構造。
【請求項７】
キャップ形態の面頬部Ｈが、ゴム状の軟質合成樹脂で構成されていることを特徴とする請求項５記載の正しい持ち方を習得できる常用塗り箸の構造。
【請求項８】
箸本体Ａに冠帽された面頬部Ｈにおける太径部３の下部周縁に膨出する節部４が、太径部３の全周にわたって連続的に形成された堤状の隆起であることを特徴とする請求項１〜７記載の正しい持ち方を習得できる常用塗り箸の構造。
【請求項９】
箸本体Ａに冠帽された面頬部Ｈにおける太径部３の下部周縁に膨出する節部４が、太径部３の周囲にわたって瘤状に形成された凸凹隆起4′・4′…であることを特徴とする請求項１〜７記載の正しい持ち方を習得できる常用塗り箸の構造。
【請求項１０】
箸本体Ａの箸生地Ｗの全面に、塗料を薄塗りした薄塗り層６が施されている請求項１〜９の何れか一つに記載の正しい持ち方を習得できる常用塗り箸の構造。
【考案の詳細な説明】
【技術分野】
【０００１】
本考案は、塗り箸の改良、更に詳しくは、一膳２本の箸本体を親指、人差指、中指、薬指を使って食事をする際に、箸本体の位置決めもし易く、しかも箸本体の重量バランスが適当で正しい持ち方を習得できる常用塗り箸の構造に関するものである。
【背景技術】
【０００２】
食物を２本の棒材で挟み、口へ運んで食事をする際の食具としての塗り箸は、日本人の食生活において文化性と実用性が重視されている。図１に示す箸は、本考案の塗り箸を図示したものであるが、その使い方は従来市販の塗り箸と同じである。即ち、２本を一膳として使用する箸本体は、各々の箸先を揃えて持つものであり、片方の１本は親指の先と人差指と中指で挟んで支える一方、もう片方の１本は薬指の先部分と親指の付根とで支えつつ、親指、人差指、中指で挟まれた側の箸の方は親指の先に当てて箸部分を支えとすることにより親指先の接触部分を支点５として箸先を開閉させ間に食物を挟みながら口へ運んで食事の便に供する。それゆえ、“手づかみ”で食事を摂る原始的な食事法よりも箸を使う食事法は、食物を箸先で間接的に遠隔した位置で挟みつつ食するので衛生的でかつ上品で文化的である。しかし、食物を落とすと辺りが汚れるため、箸を使う時には食物を零さず落さず確実に挟んで口に入れる作法が重視されている。即ち、食具としての箸には、箸先の開閉操作が容易で扱い易いこと、食物を的確には挟めること、２本一膳の箸を片手の親指、人差指、中指、薬指の間に安定に気持ち良く保持できることゝ言った実用性と、そして傍から見てもスマートで見栄えもすることが要求されているのである。
【０００３】
ちなみに、従来提案されている塗り箸についてみると、特許文献１(特開2010-181864号公報）図１〜図４には、２つの箸の挿入部２−１と親指挿入部７ａと２本の箸の間隔調整具７を具備する矯正具本体1と、箸の挿入部分３−２と人差し指を挿入する部分３−１とからなる人差し指挿入部品３で構成されることを特徴とする箸の持ち方矯正具が開示されている。
【先行技術文献】
【特許文献】
【０００４】
【特許文献１】特開2010-181864号公報（請求項１、および図１〜図４参照て）
【０００５】
しかして、特許文献１に開示される箸は、２本一膳で使用する上箸５および下箸６として使用する箸５・６に、形状・構造を異にした２種類の部品を装着することにより上箸５と下箸６との間隔を調整できるようにすると共に、これらの部品に設けられた指挿入部の各々に人差し指、親指を挿入させることによって箸の正しい持ち方を覚えられるようにしようとするものである。しかしながら、この特許文献１に提案されている「箸の正しい持ち方矯正具」は、２本一膳の箸に部品を装着しなければならないため、部品を装着した状態では市場を流通する商品形態として不適当であるし、然うかと言って、これらの部品と箸とを別売りにすると購入した使用者が自分で装着せねばならぬため、使い勝手も良くなく、部品を装着した箸の使用法も複雑で難しい。また、外見上も需要者にとって進んで購入する利便さも感じとれない。
【考案の概要】
【考案が解決しようとする課題】
【０００６】
本考案は、正しい持ち方が覚えられる従来の箸における提案に前述のごとき問題点があったことに鑑みてなされたものであり、２本一膳として使用する箸本体を親指、人差指、中指、薬指を使って扱う際に、箸本体の位置決めもし易く、しかも箸本体の重量バランスも適当で正しい持ち方を直ぐに習得可能な常用塗り箸の構造を改良するために工夫したものであって、食膳で使用する食具として実用的に好適な塗り箸を提供することを技術的課題とするものである。
【０００７】
また、本考案の他の技術的課題は、無意識的に箸を持った時でも持ち代を少し動かすだけで適正な摘み位置を感知することができて、そのうえ正しい箸の持ち方も巧まずして習得できる常用塗り箸の構造を提供するにある。
【０００８】
さらに、本考案の他の技術的課題は、使用材料を選択することにより、最上級の高級品から中級品、割り安の大衆品まで広い価格帯で提供することが可能な常用塗り箸を提供するにある。
【０００９】
さらに本考案の他の技術的課題は、別体に成形された面頬部を使う場合には箸本体の頂部に被せるだけで正しい持ち方を自然に習得できる常用塗り箸の附属部品を提供するにある。
【課題を解決するための手段】
【００１０】
そこで、本考案者が上記技術的課題を解決するため採用した技術的手段を、添附図面に従って説明すると、次のとおりである。
【００１１】
即ち、本考案の提供する正しい持ち方を直ぐに習得できる常用塗り箸は、棒状の箸本体Ａの上部領域に面頬部Ｈを冠帽させることにより、この面頬部Ｈの頂部は箸本体Ａの箸頭１となると共に、面頬部Ｈの周面は太径部３、この太径部３の下部周縁は分厚い節部４に形成した点に特徴がある。
【００１２】
念のために、本考案の常用塗り箸を２本一膳として使用する機能と形状との関係から説明しておくと、２本一膳として使用する塗り箸の箸本体Ａ・Ａであって、この箸本体Ａの上部領域に面頬部Ｈを冠帽せしめ、この面頬部Ｈの頂部は箸本体Ａの箸頭１となると共に、面頬部Ｈの周面は太径部３、この太径部３の下部周縁には分厚い節部４に形成されており、そして、前記片方側の箸本体Ａには、親指の先に接触したとき当該接触箇所が支点５として機能する部位と、人差指と中指との間に挟まれる部位とを有する一方、このように持ち支えた箸本体Ａ側の持ち代２と節部４との境界部位を人差指の付根部分に係合させることにより当該箸本体Ａの保持位置が安定するとともに、残りのもう片方の箸本体Ａは使い代７の部分を中指の先に支持させた状態で当該片方の箸本体Ａの節部４が親指の付根部分に当接可能に構成した点に使用上の利便性があると云える。
【００１３】
さらに念のために本考案の構成について注釈を加えておくと、本考案「常用塗り箸」の芯材となる箸生地Ｗの素材としては、乾燥された間伐材や柘植、樫、本鍬、紫檀、黒檀などを切削加工した木材、アクリル樹脂、ウレタン樹脂などの汎用合成樹脂材料を棒状に成形加工した合成樹脂製棒材、アルミやチタンなどの軽量金属を棒状に成形加工した金属棒材を採用することができる。ちなみに、箸生地Ｗの素材として、本鍬や紫檀・黒檀のごとき高級木材を採用する場合には箸生地Ｗの表面は艶出し研磨を施すだけで塗料の薄塗り加工は必ずしも要しない。
【００１４】
本考案の箸本体Ａの芯となる生地材Ｗの上部領域には面頬部Ｈを冠帽して、この面頬部Ｈの周面に太径部３および節部４を突成するのであるが、これらの太径部３と節部４を突成する素材には、塗料として本漆を主剤とする天然系塗料はもとより、アクリル樹脂やウレタン樹脂など周知の合成樹脂系塗料を使用することができる。箸本体Ａの箸頭１から持ち代３に至る部分を被覆する太径部３は、箸生地Ｗに直接、又は箸生地Ｗの表面に塗料を薄塗りした薄塗り層６の上に塗り重ねて形成することができる。そして、太径部３の下部周縁には、更に塗料を分厚く塗り重ねて節部４を形成する。もっとも、前記薄塗り層６は、高級木材を素材とする場合には折角の高級生地の質感が損なわれることになるので、箸生地Ｗ自体が見える部分には塗料は塗布せず、高級な箸生地Wの肌目の美しさが見えるよう材料の特質を生かすべきであろう。
【００１５】
また、必須の構成要素ではないが、箸本体Ａの使い代７の下部から箸先にかけて滑止部10を形成する場合には、本漆の乾燥塊を粉砕して得た乾漆を万遍に付着させて形成するか、
あるいは薄塗り層６の塗料を下塗りする箸生地Ｗにアクリル樹脂などの硬質樹脂系粒子を万遍に付着させて形成するものとする。このように使用材料を選択することにより高級品から割り安の大衆品まで需要に幅広く応ずることができる。
【００１６】
箸本体Ａの上部領域に面頬部Hを冠帽形成する場合には、周知のインサート成形法により箸本体Ａの上部領域に箸頭1、太径部３、および節部４を射出成形して一体成形することができる。即ち、キャビティを有する成型金型の中に箸生地Ｗの頂部を挿入させ常法で樹脂を射出することにより箸本体Ａの上部領域に面頬部Ｈが一体的に成形することができるのである。
【００１７】
箸本体Ａの上部領域に冠帽する面頬部Ｈは、箸本体Ａに対し着脱可能にキャップ状に別体として成形することも可能である。このように箸本体Ａとは別体でキャップ状に成形した面頬部Ｈは、当該箸本体の頂部に差し込んで被せることによって、箸本体Ａにおける持ち代２の上部領域に箸頭１、太径部３、および節部４を作出することができる。箸本体Ａの箸生地Ｗとして本鍬や紫檀・黒檀のごとき高級木材を用いて作製して高級木材の肌目や上等な質感を見せたい場合には、箸生地Ｗの上部領域に直接被せることによって高級さを強調するのが好ましい。
【考案の効果】
【００１８】
本考案の塗り箸は、箸本体Ａの持ち代２の上部領域に面頬部Ｈにより箸頭１、太径部３、および節部４を形成しているので、片方の箸本体Ａを親指の先と人差指と中指で挟んで支える時、これらの指に支えられる箸本体Ａの節部４が人差指に係合して位置決め安定すると共に、もう片方の箸本体Ａは使い代７の部分を中指の第一関節に支えた状態で節部４が親指の付根の部分に巧まずして係合当接することになるので、箸を正しく使う習慣のない慣れない外国人でも、本考案に係る塗り箸を使う場合には、直ぐに、そして、迅速に一膳の箸本体Ａ・Ａを安定した状態に持つことが可能となり、箸を正しく持って行儀良く食事を行う習慣が身につく。
【００１９】
また、本考案の塗り箸にあっては、帽冠部Ｈと、箸本体Ａ全体の重量と親指、人差指、中指、薬指に当接する箸本体Ａの重さが補完的に機能し合い、一膳の箸本体Ａ・Ａのバランスが調和するので、使う際にも頗る箸捌きに利便であり、食事中に箸を取り落とすような不作法も少なくなる。
【００２０】
また本考案の塗り箸を使用するときは、親指、人差指、中指で挟んで持つ側の片一方の箸本体Ａは親指の先に接触した箸部分を支えとして保持することになるが、丁度、人差指の直ぐ上に節部４が存在して当該人差指に係合することになるので、親指の当接位置も自然に定まり、その親指の位置を支点５として、もう片一方の箸先８・８とを自由自在に開閉させることができる。
【００２１】
また、本考案を適用して作製した塗り箸は、一膳の箸を構成する２本の箸本体Ａ・Ａの上部領域には面頬部Ｈが冠帽されて、太径部３および節部４が各々形成しているので、使用する際に箸本体Ａ・Ａ２本を利き手に取り持って使い代７の部分を箸先８・８の方向へ引っ張ると、片方（人差指側）の箸本体Ａの節部４は当該人差指の付根の部分に当って係合し、もう片方（親指の内股側）の箸本体Ａの節部４は当該親指の付根部分に当接することになる。その状態で、図１に示す如く、節部４を人差指に係合させた側の箸本体Ａは、人差指と中指に挟んで親指の先に支えると共に、もう片方の箸本体Ａは薬指の先部分と親指の付根部分に当接させるならば、直ぐに正しい箸の持ち方となるのである。
【００２２】
このように本考案によれば、簡単な使用説明書を添附して使用に供することにより、箸生活に不慣れな最近の若者でも、幼い子供でも、外国人でも、直ぐに箸の正しい持ち方を覚えることができる。しかも、本考案の常用塗り箸は、使用材料を選択することによりコスト的に高価な高級品から、コスト的に格安に製造することができる安価な大衆品まで幅広く提供することが可能である。なお、念のために補足しておくと、箸頭１から持ち代２の上部域における太径部２および節部４の塗料の色彩をチョコレート色、クリーム色、サクラ色などと様々に使い分けて提供する場合には、これを使う使用者の食欲を増進することにもなる。
【図面の簡単な説明】
【００２３】
【図１】図１は、本考案を適用して作製した２本一膳の箸本体を手の指で持った状態で表わす斜視図である。
【図２】図２は、本考案を適用して作製した箸本体の各部分の名称を指示して表わした斜視説明図である。
【図３】図３は、本考案を適用して作製した箸本体の立断面図である。
【図４】図４は、本考案を適用して構成される箸本体の太径部・下部周縁に形成される節部形状の変形例を例示した箸本体上部の部分拡大斜視説明図である。
【図５】図５は、箸本体の上部領域に、着脱可能に作製したキャップ形態の面頬部を冠帽できるように構成した本考案の変形例を表わす分解斜視説明図である。
【考案を実施するための形態】
【００２４】
以下、本考案の好ましい実施例を挙げて、本考案塗り箸の作用効果について更に具体的に説明してゆくものとする。
【実施例】
【００２５】
図１〜図３に示される塗り箸は、本考案を適用して作製した塗り箸の実施例である。
【００２６】
図１〜図３において、符号Ａで指示するものは本考案を適用して構成した箸本体である。本実施例の箸本体Ａの面頬部Ｈは、棒状の箸生地Ｗに本漆のごとき天然塗料や、アクリル樹脂、ウレタン樹脂のごとき合成樹脂系塗料を塗布する塗盛法によっても作製することができる。面頬部Ｈは、箸本体Ａの上部領域に冠帽される実施例品の構成部分であり、箸本体Ａの上部領域に箸頭１、太径部３、および節部４を作出する。箸生地Ｗは、前述のとおり、乾燥された間伐材や柘植、樫、本鍬、紫檀などを切削加工した木材、アクリル樹脂などの汎用合成樹脂材料を棒状に成形加工した合成樹脂製棒材、アルミ、チタン等の軽量金属材を棒状に成形加工した金属棒材を採用することができる。
【００２７】
更に詳しく説明すると、図１〜図５の図示例では、箸本体Ａの上部領域には面頬部Ｈが冠帽されている。そして、この面頬部Hは、図１〜図５に示す如く、箸本体Ａの頂部に箸頭１、箸頭１から後述の持ち代の上部分には太径部３、太径部３の下部周縁に膨出する節部４を形成している。符号８は箸本体Ａの下端に位置する箸先、符号９は乾漆様の粒子、符号10は、箸本体Ａの表面に対し使い代７の下部から箸先８の方へ万遍に付着させて形成した滑止部である。符号６の指示する部分は、箸生地Ｗの表面に塗料を薄塗り塗装して形成された薄塗り層であって、安価なスギ間伐材などを素材として塗り箸を量産する場合に箸生地Ｗの表面を化粧するものである。
【００２８】
また、図２に符号２で指示される領域は、当該箸本体を取り扱う際に手指で持たれる持ち代、符号７で指示される領域は箸本体の使い代である。符号５で指示する箇所は箸本体の支点であり、図１に指示する２本の箸本体Ａのうち、上側に位置して親指、人差指、中指で挟んで保持される方の箸本体Ａを親指の先で支持して開閉操作する際に支点となる重要な部分である。
【００２９】
図１および図２に図示した箸本体Ａにおける太径部３の下部周縁に突成された節部４は、ほゞ一様な高さの堤(つつみ)状に隆起形成してあるが、図４に例示するように瘤状に凸凹隆起4′・4′…に形成することも可能である。図４のように節部４を瘤上に形成しておくと、箸本体Ａが膳台や食卓上で転がって落ちるのを防ぐことができる。
【００３０】
図５は、箸本体Ａの上部領域に冠帽する面頬部Ｈを、着脱可能な別体としてキャップ形態に成形する例を示した本考案の変形実施例である。このようにキャップ形態に成形される面頬部Ｈは、軟質合成樹脂（例えば、軟質ポリエチレン、ナイロンなど）を射出成形によって作製したものや、シリコーンゴムを注型法によって成形したものも採用できる。また、ポリカーボネート、ポリエチレンテレフタレート、アクリルなどの周知の硬質合成樹脂を用いて作製したキャップ形態の面頬部Ｈも採用することができる。そして、図５に示すキャップ形態の面頬部Ｈを別体で作製して別売りにする場合には、箸本体Ａに差し込む孔の形状（丸孔、多角孔など）や口径サイズの異なるもの、孔に背割り状の縦溝を入れて箸本体Ａの上部領域に嵌め易くしたキャップ形態の面頬部Ｈを各種準備しておくことにより、通常市販の箸本体に差込みさえすれば、本考案の塗り箸と同様、箸の正しい持ち方を習得することができる。
【００３１】
本考案の具体的構成は概ね前述したとおりであるが、本考案の技術的範囲は添附図面に具体的に示した図示例や実施例に尽きるものではなく、「実用新案登録請求の範囲」に記載した技術思想の趣旨に従って模倣盗用して作られた類似の常用塗り箸の権利抵触の成否を解釈すべきである。
【産業上の利用可能性】
【００３２】
本考案は、以上説明したところからも明らかなとおり、箸を正しく持つことが不得手な現代の若者や子供達は言うに及ばず、外国人でも箸を正しく持って行儀良く食事を行えるように誘う食具として大いに役立つ。
また、塗り箸の実用性と文化性の向上にも役立つので、その産業上の利用可能性は頗る大きいものがある。
【符号の説明】
【００３３】
１                箸頭
２                持ち代
３                太径部
４                節部
4′・4′…    凸凹隆起
５                支点
６                薄塗り層
７                使い代
８                箸先
９                粒子
Ａ                箸本体
Ｈ                面頬部
Ｗ                箸生地
【図１】
0003181048.tif 000003
【図２】
0003181048.tif 000004
【図３】
0003181048.tif 000005
【図４】
0003181048.tif 000006
【図５】
0003181048.tif 000007